(57)【特許請求の範囲】
【請求項１】
浴室内に加熱空気を循環させる循環ユニットと他室を換気し屋外へ排気する換気ユニットを接合し、前記循環ユニットと前記換気ユニットの中間位置にダンパーユニットを設け、このダンパーユニットを構成するダンパー板の略中央位置に回転中心を有するダンパーシャフトを設けた多室換気機能付浴室暖房乾燥機であって、前記ダンパーシャフト、ダンパーモーターリード線以外は送風室と区画独立したダンパーモーター室を設け、このダンパーモーター室と前記送風室との間に副ダンパーモーター室を設け、この副ダンパーモーター室内で前記ダンパーシャフトとダンパー連結部を連結する構成とし、前記ダンパーモーター室に天井裏空間との開口を設けた多室換気機能付浴室暖房乾燥機。
【発明の詳細な説明】
【０００１】
【発明の属する技術分野】
本発明は、浴室の天井裏に取付けられ、浴室を暖房するとともに、浴室と浴室とは異なる別室を換気することができる多室換気機能付浴室暖房乾燥機に使用されるダンパーユニットに関する。
【０００２】
【従来の技術】
従来、この種の多室換気機能付浴室暖房乾燥機は特開平１０−７３２９４号公報に記載されたものが知られている。
【０００３】
以下、その多室換気機能付浴室暖房乾燥機の構成について図５および図６を参照しながら説明する。
【０００４】
図に示すように、換気装置本体部１０１と乾燥暖房機ユニット１０２が一体となって構成され、浴室Ａ、洗面所Ｂ、およびトイレＣを同時に換気でき、浴室を乾燥または暖房できるように設置されている。第一吸気口１０３には、開閉自在なシャッター機構１０４であるダンパー１０５が上辺部を回動軸Ｘとして、換気ファンケーシング１０６内部に向かって回動自在に支持されている。前記ダンパー１０５は通常は自重により垂直姿勢に付勢され、第一吸気口１０３を閉塞して閉状態にしている。ダンパー１０５の寸法は第一吸気口１０３より大きく第一吸気口１０３の換気ファンケーシング１０６側に取付けられているため、換気ファンケーシング１０６内部の空気が外部へ第一吸気口１０３を通して逆向きに通風（逆流）するのが防止されている。
【０００５】
更に、固定部つまり第一吸気口１０３の下辺部の乾燥暖房機ユニット１０２側に電磁石１０７が閉状態のダンパー１０５に設けた電磁石吸着部材としての鉄片１０８に接触可能に設置されている。
【０００６】
そして、電磁石１０７を通電すると、電磁力によりダンパー１０５の閉状態を維持したまま吸着するため電磁石１０７と鉄片１０８は、ダンパー１０５の閉状態を維持するための電磁式ロック機構１０９、１１０を構成し、これにより、ダンパー１０５の材質を樹脂、アルミ等の軽量で、かつ、強度を確保できる材料を用いることを可能とし、換気ファンケーシング１０６内部の負圧により閉動作を容易にしながらも、閉状態における確実なロックを実現できるというものであった。
【０００７】
【発明が解決しようとする課題】
このような従来の多室換気機能付浴室暖房乾燥機では、開閉自在なシャッター機構１０４であるダンパー１０５が上辺部を回動軸Ｘとして、換気ファンケーシング１０６内部に向かって回動自在に支持されており、回転軸が片側支持であるため風圧による影響を受けやすく、浴室および他室の吸込風量分配が安定されないことがあり、浴室および他室の風量分配を任意に調整することが要求されている。
【０００８】
本発明は、このような従来の課題を解決するものであり、浴室および他室の風量を安定することができる多室換気機能付浴室暖房乾燥機を提供することを目的としている。
【０００９】
また、従来の多室換気機能付浴室暖房乾燥機では、開閉自在なシャッター機構１０４であるダンパー１０５が上辺部を回動軸Ｘとして、換気ファンケーシング１０６内部に向かって回動自在に支持されており、回転軸が片側支持であり、浴室および他室の吸込風量が安定されないことにより風量分配、風量調整がされないことがあり、浴室および他室の吸込風量を安定させるとともに、適切な風量分配、風量調整が要求されている。
【００１０】
本発明は、このような従来の課題を解決するものであり、浴室および他室の風量分配、風量調整をすることができる多室換気機能付浴室暖房乾燥機を提供することを目的としている。
【００１１】
また、一般的に多室換気機能付浴室暖房乾燥機は、浴室内の湿った空気が機器内に循環することにより、ダンパー板およびダンパーシャフトに結露し、結露水がダンパーユニットに散水することがあり、散水を防止することが要求されている。
【００１２】
本発明は、このような従来の課題を解決するものであり、ダンパーユニットのダンパーシャフトにダンパーユニット飛散浸入水防止用のダンパーシャフト水切り部を構成することにより、ダンパーユニットへの散水を防止することができる多室換気機能付浴室暖房乾燥機を提供することを目的としている。
【００１３】
また、一般的に多室換気機能付浴室暖房乾燥機は、ダンパーユニットを分割により組み立てると精度が要求されることにより、ダンパーユニットが高価になることがあり、ダンパーユニットのコストを低減することが要求されている。
【００１４】
本発明は、このような従来の課題を解決するものであり、ダンパーユニットのコストを低減することができる多室換気機能付浴室暖房乾燥機を提供することを目的としている。
【００１５】
また、一般的な多室換気機能付浴室暖房乾燥機の構成は、ダンパーモーター室が多湿になることがあり、ダンパーモーター室を湿度空間から隔離する構成が要求されている。
【００１６】
本発明は、このような従来の課題を解決するものであり、ダンパーモーター室を湿度空間から隔離することができる多室換気機能付浴室暖房乾燥機を提供することを目的としている。
【００１７】
【課題を解決するための手段】
上記課題を解決するための本発明の多室換気機能付浴室暖房乾燥機の一つの手段は、浴室内に加熱空気を循環させる循環ユニットと他室を換気し屋外へ排気する換気ユニットを接合し、前記循環ユニットと前記換気ユニットの中間位置にダンパーユニットを設け、このダンパーユニットを構成するダンパー板の略中央位置に回転中心を有するダンパーシャフトを設けたものである。
【００１８】
これにより、浴室および他室の風量を安定することができる。
【００１９】
また、他の手段は、ダンパーユニットのダンパーシャフトにダンパー板の回転角度を制御するダンパーモーターユニットを設けたものである。
【００２０】
これにより、浴室および他室の風量分配、風量調整をすることができる。
【００２１】
また、他の手段は、ダンパーユニットのダンパーシャフトにダンパーモーターユニット飛散浸入水防止用のダンパーシャフト水切り部を設けたものである。
【００２２】
これにより、ダンパーユニットへの散水を防止することができる。
【００２３】
また、他の手段は、ダンパー板、ダンパーシャフト、ダンパー連結部、およびダンパーシャフト水切り部を一体成形したダンパーユニットを設けたものである。
【００２４】
これにより、ダンパーユニットのコストを低減することができる。
【００２５】
また、他の手段は、ダンパーシャフト、ダンパーモーターリード線以外は送風室と区画独立したダンパーモーター室を設け、このダンパーモーター室と前記送風室との間に副ダンパーモーター室を設け、この副ダンパーモーター室内で前記ダンパーシャフトとダンパー連結部を連結する構成とし、前記ダンパーモーター室に天井裏空間との開口を設けたものである。
【００２６】
これにより、ダンパーモーター室を湿度空間から隔離することができる。
【００３１】
【発明の実施の形態】
本発明の請求項１に記載の発明は、浴室内に加熱空気を循環させる循環ユニットと他室を換気し屋外へ排気する換気ユニットを接合し、前記循環ユニットと前記換気ユニットの中間位置にダンパーユニットを設け、このダンパーユニットを構成するダンパー板の略中央位置に回転中心を有するダンパーシャフトを設けた多室換気機能付浴室暖房乾燥機であって、前記ダンパーシャフト、ダンパーモーターリード線以外は送風室と区画独立したダンパーモーター室を設け、このダンパーモーター室と前記送風室との間に副ダンパーモーター室を設け、この副ダンパーモーター室内で前記ダンパーシャフトとダンパー連結部を連結する構成としたものであり、ダンパーモーター室に天井裏空間との開口を設ける構成であり、ダンパーモーター室を湿度空間から隔離するという作用を有する。
【００３２】
以下、本発明の実施例について図面を参照しながら説明する。
【００３３】
（実施例１）
図１および図３に示すように、浴室内に加熱空気を循環させる循環ユニット１と他室を換気し屋外へ排気する換気ユニット２を接合し、循環ユニット１と換気ユニット２の中間位置に固定するダンパーユニット３を設ける。ダンパーユニット３には、ダンパー板３ｂとこのダンパー板３ｂの略中央位置に回転中心を有するダンパーシャフト３ａを設ける。
【００３４】
上記構成により、浴室からの吸込風量がダンパーユニット３のダンパー板３ｂの中心軸に対して均等に風圧をうけるため、ダンパーユニット３の開閉による開口にぶれがなく、開口面積が安定することにより、換気ユニット２側の主にトイレ、脱衣室に使用される他室と浴室の吸込風量を安定することができる。
【００３５】
（実施例２）
図２および図３に示すように、ダンパーユニット３のダンパーシャフト３ａにダンパー板３ｂの回転角度を制御するダンパーモーターユニット４を設ける。
【００３６】
ダンパーモーターユニット４は、ダンパーモーターシャフト４ａとダンパーモーターリード線４ｂから成り、ダンパーシャフト３ａとの間はダンパーシャフト水切り部３ｄを設けたダンパー連結部３ｃを接続している。
【００３７】
上記構成により、ダンパーモーターユニット４を制御しダンパーユニット３のダンパー板３ｂの開閉による開口面積により、換気ユニット２側の主にトイレ、脱衣室に使用される他室と浴室との風量分配を任意に調整することができ、かつ、ダンパーモーターユニット４を制御しダンパー板３ｂの開閉による開口面積により多室換気機能付浴室暖房乾燥機内の静圧を変化させ浴室および他室の風量を任意に調整することができる。
【００３８】
（実施例３）
図３に示すように、ダンパーユニット３のダンパーシャフト３ａにダンパーモーターユニット４の飛散浸入水防止用のダンパーシャフト水切り部３ｄを設ける。
【００３９】
上記構成により、浴室内の湿った空気が機器内に循環することによりダンパー板３ｂおよびダンパーシャフト３ａに結露し、結露水がダンパーモーターユニット４に散水するのをダンパーシャフト水切り部３ｄにより遮断し、ダンパーモーターユニット４への散水を防止することができる。
【００４０】
（実施例４）
図３に示すように、ダンパーユニット３はダンパー板３ｂ、ダンパーシャフト３ａ、ダンパー連結部３ｃおよびダンパーシャフト水切り部３ｄを一体成形したものである。
【００４１】
上記構成により、ダンパーユニットを分割により組み立てた場合、精度が要求されることによりダンパーユニットが高価になることがあるが、ダンパーユニットの構成を一体成形することによりコストを低減することができる。
【００４２】
（実施例５）
図３および図４に示すように、ダンパーモーターシャフト４ａ、ダンパーモーターリード線４ｂ以外は送風室５と区画独立したダンパーモーター室６を設け、ダンパーモーター室６と送風室５との間に副ダンパーモーター室７を設け、副ダンパーモーター室７内でダンパーモーターシャフト４ａとダンパー連結部３ｃを連結する構成とし、ダンパーモーター室６に天井裏空間８との開口を設ける。
【００４３】
上記構成により、送風室５と区画独立したダンパーモーター室６を設けたことにより、ダンパーモーターシャフト４ａ、ダンパーモーターリード線４ｂ以外のダンパーモーターユニット４を防水することができ、かつ、ダンパーモーター室６にダンパーモーターシャフト４ａ、ダンパーモーターリード線４ｂの通る隙間より仮に微細水滴の湿度がダンパーモーター室６に浸入したとしても、ダンパーモーター室６に天井裏空間８との開口を設けることによりその湿度を天井裏空間８に逃がすことができる。
【００４４】
また、ダンパーモーター室６と副ダンパーモーター室７に貫通孔を通すことにより、副ダンパーモーター室７の湿度を逃がすことができることは言うまでもない。
【００４５】
また、湿度と同時にダンパーモーターユニット４の発熱によるダンパーモーター室６の温度上昇もダンパーモーター室６に天井裏空間８との開口を設けることにより防止でき、発熱によるダンパーモーターユニット４の短寿命化、不安全を防止できることは言うまでもない。
【００４６】
【発明の効果】
以上の実施例から明らかなように、本発明によれば、換気ユニット側の主にトイレ、脱衣室に使用される他室と浴室との吸込風量を安定するという有利な効果が得られる。
【００４７】
また、ダンパー角度を容易に変更することができ、かつ、ユーザーのニーズにより換気ユニット側の主にトイレ、脱衣室に使用される他室と浴室との風量分配を任意に調整するという有利な効果が得られる。かつ、ダンパーを閉状態にすることにより外風圧による逆風を防止するという有利な効果が得られる。かつ、ダンパーモーターユニットを制御することにより機内静圧を変化させ浴室および他室の風量を任意に調整するという有利な効果が得られる。
【００４８】
また、ダンパーモーターユニット防水用のダンパーシャフト水切り部の構成により、ダンパー板およびダンパーシャフトに結露した結露水をダンパーシャフト水切り部で遮断しダンパーモーターユニットを防水するという有利な効果が得られる。
【００４９】
また、ダンパーユニットの構成を一体成形することによりダンパーユニットのコストを低減するという有利な効果が得られる。
【００５０】
また、送風室と区画独立したダンパーモーター室を設けたことにより、ダンパーモーターシャフト、ダンパーモーターリード線以外のダンパーモーターユニットを防水するという有利な効果が得られる。かつ、ダンパーモーター室にダンパーモーターシャフト、ダンパーモーターリード線の通る隙間より仮に微細水滴の湿度がダンパーモーター室に侵入したとしても、ダンパーモーター室に天井裏空間との開口を設けることによりその湿度を天井裏空間に逃がすという有利な効果が得られる。かつ、ダンパーモーター室と副ダンパーモーター室に貫通孔を通すことにより、副ダンパーモーター室の湿度を逃がすことができるという有利な効果が得られる。かつ、湿度と同時にダンパーモーターユニットの発熱によるダンパーモーター室の温度上昇も、ダンパーモーター室に天井裏空間との開口を設けることにより防止するという有利な効果が得られる。かつ、ダンパーモーターユニットの発熱による、ダンパーモーターユニットの短寿命化、不安全を防止するという有利な効果が得られる。
【図面の簡単な説明】
【図１】本発明の実施例１の多室換気機能付浴室暖房乾燥機の構成を示す斜視図
【図２】同実施例２の多室換気機能付浴室暖房乾燥機のダンパーモーターユニットの構成を示す斜視図
【図３】同実施例１〜５の多室換気機能付浴室暖房乾燥機のダンパーユニットとダンパーモーターユニットの詳細な構成を示す斜視図
【図４】同実施例５の多室浴室換気機能付暖房乾燥機のダンパーモーター室と副ダンパーモーター室の構成を示す斜視図
【図５】従来の多室換気機能付浴室暖房乾燥機を示す構成概念図
【図６】従来の多室換気機能付浴室暖房乾燥機のダンパーの構成を示す斜視図
【符号の説明】
１      循環ユニット
２      換気ユニット
３      ダンパーユニット
３ａ    ダンパーシャフト
３ｂ    ダンパー板
３ｃ    ダンパー連結部
３ｄ    ダンパーシャフト水切り部
４      ダンパーモーターユニット
４ａ    ダンパーモーターシャフト
４ｂ    ダンパーモーターリード線
５      送風室
６      ダンパーモーター室
７      副ダンパーモーター室
８      天井裏空間
【図１】
0003860377.tif 000002
【図２】
0003860377.tif 000003
【図３】
0003860377.tif 000004
【図４】
0003860377.tif 000005
【図５】
0003860377.tif 000006
【図６】
0003860377.tif 000007